(57)【要約】【課題】専用機能をもたない汎用リモコンのキー操作によって、マクロ処理を実行することができる電気機器を提供すること。【解決手段】本発明に係わる電気機器は、表示された録画リストの連続ドラマ５１ａの指示番号（リスト番号３）に対応して、例えばリモコン（１）の“３”キー（１ｃ）を１回操作するだけで、カーソルＣを録画リスト３に移動し、録画リスト３の録画番組を再生するマクロ処理を実行する。【選択図】図１
2010068259.tif 000002
【特許請求の範囲】
【請求項１】
リモコンから送信されるコマンドを受信し、当該コマンドに対応する処理を実行する電気機器において、
前記電気機器の状態を示す状態情報を記憶する記憶部と、
前記電気機器の状態情報と前記リモコンから送信されるコマンドの組み合わせと対応して処理の内容を記録したテーブルとを備え、
前記リモコンから送信されるコマンドを受信すると、前記テーブルを参照し、当該コマンドとコマンド受信時の状態情報の組み合わせに対応した処理の内容を実行することを特徴とする電気機器。
【請求項２】
前記テーブルに記録された前記処理の実行を有効にするか又は無効にするかを設定するマクロ設定部を備えたことを特徴とする請求項１に記載の電気機器。
【請求項３】
前記テーブルにおける、前記電気機器の状態情報と前記リモコンから送信されるコマンドの組み合わせ、前記処理の内容を更新する更新設定部を備えたことを特徴する請求項１又は２に記載の電気機器。
【発明の詳細な説明】
【技術分野】
【０００１】
本発明は、リモコンにより遠隔操作される電気機器に係わり、特に、リモコンにより遠隔操作される電気機器の操作性を向上させる機能を備えた電気機器に関する。
【背景技術】
【０００２】
従来から、リモコンにより遠隔操作される電気機器の操作性を向上させる技術が提案されている。
例えば、特許文献１には、１つのリモコンキーを１回操作するだけで、複数の制御コマンドを被制御機器（電気機器）に送信し、当該被制御機器に、当該複数の制御コマンドに対応する複数の処理を順次実行させることができるいわゆるマクロ機能を備えたリモコンが開示されている。
【特許文献１】特開平１１−３０４５２７号公報
【発明の開示】
【発明が解決しようとする課題】
【０００３】
しかし、従来の技術では、被制御機器に、複数の処理を順次実行させるマクロ処理を実行させるために、リモコンの各キーに割り当てられている実行機能を変更し、１つのリモコンキーの操作によって複数の制御コマンドを被制御機器に送信する機能を備えた専用リモコンが必要となり、リモコンの価格が上昇する。
【０００４】
本発明は、かかる実情に鑑みてなされたものであり、専用機能をもたない汎用（通常）リモコンのキー操作によって、マクロ処理を実行できる電気機器を提供することを目的とする。
【課題を解決するための手段】
【０００５】
第１の技術手段は、リモコンから送信されるコマンドを受信し、当該コマンドに対応する処理を実行する電気機器において、前記電気機器の状態を示す状態情報を記憶する記憶部と、前記電気機器の状態情報と前記リモコンから送信されるコマンドの組み合わせと対応して処理の内容を記録したテーブルとを備え、前記リモコンから送信されるコマンドを受信すると、前記テーブルを参照し、当該コマンドとコマンド受信時の状態情報の組み合わせに対応した処理の内容を実行することを特徴とする電気機器である。
【０００６】
第２の技術手段は、第１の技術手段において、前記テーブルに記録された前記処理の実行を有効にするか又は無効にするかを設定するマクロ設定部を備えたことを特徴とするものである。
【０００７】
第３の技術手段は、第１又は第２の技術手段において、前記テーブルにおける、前記電気機器の状態情報と前記リモコンから送信されるコマンドの組み合わせ、前記処理の内容を更新する更新設定部を備えたことを特徴するものである。
【発明の効果】
【０００８】
本発明により、専用リモコンではなく汎用リモコンのキー操作によって、マクロ処理を実行できる電気機器を提供することができるので、ユーザの利便性が向上する。また、汎用リモコンを用いるので、リモコンの価格を抑えることができる。
【発明を実施するための最良の形態】
【０００９】
（実施例１）
まず、本発明の概要について、図１、図２を用いて説明する。
図１は、本発明に係わる電気機器と接続している表示装置に表示される電気機器のメニュー画面５１、図２は、前記電気機器を遠隔操作する、汎用的なリモコン１の外観図である。ここでは、前記電気機器の一例として、ＨＤＤレコーダを例示して説明する。
【００１０】
従来、図１のメニュー画面５１の録画リストの中から、リスト番号３の録画番組：連続ドラマ５１ａを再生する場合、リモコン１の下キー１ａを２回操作し、カーソルＣをリスト番号３の録画番組に合わせ、更に、決定キー１ｂを操作しなければならなかった。
【００１１】
本発明に係わる電気機器は、上記の例では、表示された録画リストの連続ドラマ５１ａの指示番号（リスト番号３）に対応して、例えばリモコン１の“３”キー１ｃを１回操作するだけで、リスト番号３の録画番組を再生するようにしたものである。
【００１２】
図３は、本発明に係わる電気機器２、及び、当該電気機器２を遠隔操作するリモコン１の機能ブロック図である。
電気機器２は、前記リモコン１により遠隔操作される被制御機器である。ここでは、前述のようにＨＤＤレコーダを例示して説明する。
２１は、複数のボタン、操作パネル等から構成される操作部である。
２２は、各種制御情報、メニュー画面等のＯＳＤデータを記録するメモリである。
【００１３】
２３は、チューナで、アンテナ（図示しない）を介してデジタル放送を選局し、選局したデジタル放送信号を復調部２４に出力する。復調部２４は、チューナ２３からのデジタル放送信号を復調し、復調した信号に各種処理を施し、分離部２５に出力する。
【００１４】
復調部２４からの信号を受信した分離部２５は、当該信号の中から、ＡＶ（映像音声）信号とＳＩ（ＥＩＴ）とを抽出・分離し、分離したＡＶ信号／ＳＩを録画処理部２６に出力する。
【００１５】
分離部２５からのＡＶ信号などを受信した録画処理部２６は、映像圧縮処理などの映像処理を行う場合、ＡＶ信号をデコードし、圧縮処理などの各種処理を施した上で、ＨＤＤ２７に記録する。映像圧縮処理などの映像処理を行わない場合には、ＡＶ信号をＨＤＤ２７に記録する。
【００１６】
２８は、再生部で、録画リスト画面などを介して選択された録画番組の再生処理を実行する。
２９は、制御部で、各機能ブロックを制御し、メニュー画面などの表示制御も行う。
【００１７】
３１は、コマンド受信部で、リモコン１のコマンド送信部が送信したコマンドを受信する。
３２は、状態情報記憶部で、録画リスト表示中、再生中、録画中などの、電気機器２の現在の状態（ステータス）に係わる状態情報をリアルタイムに記憶する。
【００１８】
３３は、マクロ選択部で、マクロ選択表／マクロ定義表記憶部３５に記憶されている、図４に示すマクロ選択テーブル６１を参照し、コマンド受信部３１によって受信されたコマンドと、コマンド受信時における状態情報記憶部３２が記憶する電気機器２の状態情報の組み合わせに対応するマクロ（処理）を選択する。
【００１９】
図４のマクロ選択テーブル６１は、電気機器２の状態情報と、リモコンから送信されるコマンドの組み合わせと対応してマクロ（処理）の内容を記録したデーブルで、６１ａは、電気機器２の状態情報が記録される欄、６１ｂは、リモコンが送信するコマンドが記録される欄、６１ｃは、実行するマクロが記録される欄である。
【００２０】
ここでは、前記状態情報として、“状態１”〜“状態Ｍ”までのＭ種類の状態情報が記録され、前記コマンドとして、“コマンド１”〜“コマンドＮ”までのＮ個のコマンドが記録されている。また、前記マクロとして、“マクロ１”〜“マクロＭＮ”が記録されている。Ｍ、Ｎは１以上の整数である。
【００２１】
図３の３４は、マクロ実行部で、マクロ選択部３３によって選択されたマクロに対応する処理を、マクロ選択表／マクロ定義表記憶部３５に記憶されている、図５のマクロ定義テーブル６２に基づいて実行するように制御部２９に指示する。
図５のマクロ定義テーブル６２は、実行するマクロ（選択されたマクロ）と、当該マクロに対応する処理の内容が記録されたテーブルで、６２ａは、実行するマクロが記録される欄、６２ｂは、当該マクロに対応する処理の内容が記録される欄である。
図５において、マクロ１には処理Ａが、マクロ２には処理Ｂが、マクロＭＮには処理Ｘが割り当てられていることを示している。
【００２２】
マクロには、０個以上の処理を割り当てることができ、処理を割り当てない（０個の）場合は何も行わず、複数の処理が割り当てられた場合は、割り当てられた処理を順番に実行する。
【００２３】
ここで       、専用機能を持たない汎用的なリモコン１について説明する。
１１は、前記決定キー１ｂ等からなる操作部、１２は、操作部１１に設けられた各種キーに対応するコマンド（操作信号）を、赤外線などを用いて電気機器２に送信するコマンド送信部である。
１３は、各機能ブロックを制御する制御部である。
【００２４】
次に、マクロ実行処理の具体例を説明する。現在、リモコン１の操作によって、前述のように、録画リストが表示されているものとする。このとき、状態情報記憶部３２には、電気機器２の現在の状態情報として、“録画リスト表示中”が記憶されている。
【００２５】
ここで、ユーザがリモコン１の“３”キー１ｃを操作する。
すると、リモコン１のコマンド送信部１２は、操作されたリモコン１の“３”キー１ｃに対応するコマンド“３”（“３”キー操作）を電気機器２に送信する。
【００２６】
リモコン１のコマンド送信部１２が送信したコマンド“３”を受信した電気機器２のコマンド受信部３１は、コマンド“３”（“３”キー操作）をマクロ選択部３３に出力する。
前記コマンドを受信したマクロ選択部３３は、図４に示すマクロ選択テーブル６１の中から、コマンド受信部３１によって受信されたコマンド（コマンド“３”）と、状態情報記憶部３２に記憶されているコマンド受信時における電気機器２の状態情報（状態１：録画リスト表示中）の組み合わせに対応したマクロ“３”を選択し、マクロ実行部３４に出力する。
【００２７】
マクロ“３”を受信したマクロ実行部３４は、図５のマクロ定義テーブル６２に基づいて、当該マクロ“３”に対応する処理Ｃを実行するように制御部２９に指示する。
ここでは、マクロ定義テーブル６２からも明らかなように、前記マクロに対応する処理Ｃは、カーソルＣを録画リスト３に移動し、録画リスト３の録画番組を再生する処理をいう。
【００２８】
このようにすることで、リモコンに新たな機能を付加することなく、電気機器の状態に応じて、１つのコマンドの送信により複数の処理を実行させることができる。また、リモコンから特定のコマンドが送信されたときに実行される処理（機能）を変更することが可能となる。
【００２９】
（実施例２）
実施例２では、マクロ定義テーブル６２に記録されたマクロ処理実行の有効／無効の設定、更に、マクロ選択テーブル６１及びマクロ定義テーブル６２の更新を可能にする電気機器について説明する。
【００３０】
図６は、上記の更新が可能な電気機器２’の機能ブロックであり、実施例１で説明した電気機器２の機能ブロックに、マクロ設定部３６、更新設定部３７を追加したものである。
【００３１】
マクロ設定部３６は、マクロ定義テーブル６２に記録されたマクロ処理実行の有効／無効を設定する。例えば、マクロ定義テーブル６２のマクロ１を無効に設定すると、リモコン１の“１”キーを操作しても、マクロ１の処理は実行されなくなる。
【００３２】
また、無効にしたマクロを有効にすれば、当該有効にしたマクロに対応するキーが操作されると、有効にしたマクロ処理を実行する。
【００３３】
更に、更新設定部３７は、マクロ選択テーブルを更新することができる。例えば、図７に示すマクロ選択テーブル６３のように、図４のマクロ選択テーブル６１に、状態情報“状態Ｍ＋１”、当該追加した状態情報に対応するコマンド、同実行するマクロを追加する。
【００３４】
図７では、“状態Ｍ＋１”に対応して、コマンド“コマンド１”〜“コマンドＮ”、マクロ“マクロＭＮ＋１”〜“マクロ（Ｍ＋１）Ｎ”が追加された例を示している。
なお、任意の項目を削除することもできる。
【００３５】
同じく、更新設定部３７は、マクロ定義表を更新することができる。例えば、図８に示すマクロ定義テーブル６４のように、図５のマクロ定義テーブル６２に、更新設定部３７による前記“状態Ｍ＋１”の追加に伴って新たに追加された“マクロＭＮ＋１”〜“マクロ（Ｍ＋１）Ｎ”に対応する処理を追加する。図８では、処理Ｙ等が追加された例を示している。
【００３６】
他にも、マクロ定義表において既に定義されているマクロに対応する処理も変更（更新）することもできる。例えば、図５のマクロ定義テーブル６２のマクロ１に対応する処理Ａを、図９に示すように、 “処理Ｄ”、“処理Ｅ”、“処理Ｆ”に変更することができる。
【００３７】
なお、上記の更新は、電気機器２に接続されたＰＣなどから更新用データ（テーブル）を送信することによって実行してもよいし、特別メニュー画面などを介して実行してもよい。
【００３８】
以上説明した、本発明に係わる電気機器によれば、リモコンに新たな機能を追加することなく、リモコンから特定のコマンドが送信されたときに実行される処理を変更することが可能となる。また、１つのコマンドの送信により複数の処理を実行させたり、被制御装置の状態に応じて実行させる処理を切り換えることも可能となる。
【図面の簡単な説明】
【００３９】
【図１】本発明に係わる電気機器と接続している表示装置に表示される電気機器のメニュー画面の一例である。
【図２】電気機器を遠隔操作する、汎用的なリモコンの外観図である。
【図３】本発明に係わる電気機器及びリモコンの機能ブロック図である。
【図４】マクロ選択テーブルの一例を示した図である。
【図５】マクロ定義テーブルの一例を示した図である。
【図６】本発明に係わる他の電気機器の機能ブロック図である。
【図７】マクロ選択テーブルの他の例を示した図である。
【図８】マクロ定義テーブルの他の例を示した図である。
【図９】マクロ定義テーブルの他の例を示した図である。
【符号の説明】
【００４０】
１…リモコン、１ａ…下キー、１ｂ…決定キー、１ｃ…“３”キー、１１…操作部、１２…コマンド送信部、１３…制御部、２…電気機器、２１…操作部、２２…メモリ、２３…チューナ、２４…復調部、２５…分離部、２６…録画処理部、２７…ＨＤＤ、２８…再生部、２９…制御部、３１…コマンド受信部、３２…状態情報記憶部、３３…マクロ選択部、３４…マクロ実行部、３５…マクロ選択表／マクロ定義表記憶部、３６…マクロ設定部、３７…更新設定部、５１…メニュー画面、６１，６３…マクロ選択テーブル、６２，６４，６５…マクロ定義表。
【図１】
2010068259.tif 000003
【図２】
2010068259.tif 000004
【図３】
2010068259.tif 000005
【図４】
2010068259.tif 000006
【図５】
2010068259.tif 000007
【図６】
2010068259.tif 000008
【図７】
2010068259.tif 000009
【図８】
2010068259.tif 000010
【図９】
2010068259.tif 000011